(57)【要約】【課題】媒体載置ユニットが開位置から閉位置へと遷移する過程で、媒体ガイドと給紙部が干渉することを防ぐ。【解決手段】画像形成装置は、装置本体と、装置本体に対して開位置と閉位置の間を移動自在の媒体載置ユニットと、媒体載置ユニットに載置された媒体を媒体載置ユニットから前記装置本体内へ向かう給紙方向に供給する給紙部とを有し、前記媒体載置ユニットは、媒体を載置する媒体載置面を有する媒体載置板と、給紙方向と直交する方向に媒体載置面に沿ってスライド自在に配置され、媒体をガイドする媒体ガイドとを有し、媒体ガイドが給紙部に最も近付いた位置にあるとき、媒体ガイドは、媒体載置ユニットが開位置から閉位置へ遷移する過程で媒体ガイドと当接する位置に配置された第１の当接部と当接し、当接によって給紙部から離間した退避位置へとスライドすることを特徴とする媒体搬送装置を有する。【選択図】図１６
2020070118.tif 000002
【特許請求の範囲】
【請求項１】
本体装置と、
前記本体装置に対して開位置と閉位置の間を移動自在の媒体載置ユニットと、
前記媒体載置ユニットに載置された媒体を前記媒体載置ユニットから前記本体装置内へ向かう給紙方向に供給する給紙部と、
を有し、
前記媒体載置ユニットは、
媒体を載置する媒体載置面を有する媒体載置板と、
給紙方向と直交する方向に前記媒体載置面に沿ってスライド自在に配置され、媒体をガイドする媒体ガイドとを有し、
前記媒体ガイドが前記給紙部に最も近付いた位置にあるとき、
前記媒体ガイドは、
前記媒体載置ユニットが前記開位置から前記閉位置へ遷移する過程で前記媒体ガイドと当接する位置に配置された第１の当接部と当接し、前記当接によって前記給紙部から離間した退避位置へとスライドすることを特徴とする媒体搬送装置。
【請求項２】
前記媒体載置ユニットの移動と連動する連動部材を有し、
前記第１の当接部は前記連動部材に形成されることを特徴とする請求項１に記載の媒体搬送装置。
【請求項３】
前記媒体ガイドは、
媒体をガイドするガイド面から突出し、前記媒体載置ユニットが開位置から閉位置へ遷移する過程において、前記第１の当接部と当接する傾斜面を有する突出部を有し、
前記第１の当接部は、
前記連動部材に設けられ、第１の回転軸周りに回動する前記連動部材と共に前記第１の回転軸周りに第１の半径の第１の回動軌跡上を回動し、
前記傾斜面は、第１の回転軸とは異なる第２の回転軸周りに回動する前記媒体載置ユニットと共に、前記第２の回転軸周りに第２の半径の第２の回動軌跡上を回動し、
前記媒体載置ユニットが開位置から閉位置へ遷移する過程で、
前記第１の回転軌跡と前記第２の回転軌跡とが交差することを特徴とする請求項２に記載の媒体搬送装置。
【請求項４】
前記連動部材は、
前記媒体載置ユニットが開位置から閉位置へ遷移する過程において、
前記第１の当接部と前記傾斜面との当接が解除された後、前記傾斜面と当接する第２の当接部を有することを特徴とする請求項２に記載の媒体搬送装置。
【請求項５】
前記連動部材は、前記媒体載置板を前記給紙部に対して離接させるレバー部であることを特徴とする請求項２に記載の媒体搬送装置。
【請求項６】
前記第１の当接部は本体装置に配置されることを特徴とする請求項１に記載の媒体搬送装置。
【請求項７】
前記媒体載置ユニットの開閉を検出する検出部と、
ユーザの入力操作を受け付けるとともに情報を表示する入力表示部と、
前記入力表示部を制御する制御部と、
を有し、
前記制御部は、
前記媒体載置ユニットに載置される媒体幅が前記入力表示部を介してユーザによって設定された状態で、前記媒体載置ユニットが閉位置に移動後、開位置に移動したとき、
前記媒体幅が所定値以下である場合は、前記入力表示部にアラームを表示することを特徴とする請求項１から請求項６の何れかに記載の媒体搬送装置。
【請求項８】
前記媒体ガイドが前記退避位置に位置することを検出する検出部を有し、
前記制御部は、
前記媒体載置ユニットに載置される媒体幅が前記入力表示部を介してユーザによって設定された状態で、前記媒体載置ユニットが閉位置に移動後、開位置に移動したとき、前記媒体ガイドが所定時間より長く前記退避位置に位置したままである場合は、前記表示入力部に前記アラームを表示することを特徴とする請求項７に記載の媒体搬送装置。
【請求項９】
請求項１から請求項８の何れかに記載の媒体搬送装置と、
前記給紙部から給紙された媒体上に画像形成を行う画像形成部と、
を有することを特徴とする画像形成装置。
【発明の詳細な説明】
【技術分野】
【０００１】
本発明は、媒体搬送装置を有する画像形成装置に関するものである。
【背景技術】
【０００２】
従来の画像形成装置は、本体装置内に媒体を給紙方向へ給紙する給紙部と、給紙される媒体を載置する媒体載置ユニットを有する。媒体載置ユニットは給紙方向と直交する方向にスライド自在の媒体ガイドを備えており、媒体載置ユニットは本体装置に対し、開閉自在に配置されている（例えば、特許文献１参照。）。
【先行技術文献】
【特許文献】
【０００３】
【特許文献１】特開２０１３−４３７３７号公報
【発明の概要】
【発明が解決しようとする課題】
【０００４】
しかしながら、従来の構成では、媒体載置ユニットを開位置から閉位置へ移動しようとすると、媒体ガイドが給紙部に干渉する場合があった。
【課題を解決するための手段】
【０００５】
上記課題を解決するために本発明に係る画像形成装置は、本体装置と、前記本体装置に対して開位置と閉位置の間を移動自在の媒体載置ユニットと、前記媒体載置ユニットに載置された媒体を前記媒体載置ユニットから前記本体装置内へ向かう給紙方向に供給する給紙部とを有し、前記媒体載置ユニットは、媒体を載置する載置面を有する媒体載置板と、給紙方向と直交する方向に前記載置面に沿ってスライド自在に配置され、媒体をガイドする媒体ガイドを有し、前記媒体ガイドが前記給紙部に最も近付いた位置にあるとき、前記媒体ガイドは、前記媒体載置ユニットが前記開位置から前記閉位置に移動する過程で前記媒体ガイドと当接する位置に配置された第１の当接部と当接し、前記当接によって前記給紙部から離間した退避位置へとスライドすることを特徴とする。
【発明の効果】
【０００６】
本発明によれば、媒体載置ユニットを閉じる際に媒体ガイドが給紙部に干渉することを防ぐことができる。
【図面の簡単な説明】
【０００７】
【図１】本発明に係る第一実施例の画像形成装置の構成を示す側断面図である。
【図２】本発明に係る第一実施例の開閉ユニットが閉状態にあるときの画像形成装置を示す斜視図である。
【図３】本発明に係る第一実施例の開閉ユニットの開状態にあるときの画像形成装置を示す斜視図である。
【図４】本発明に係る第一実施例の開閉ユニットの構成を示す側断面図である。
【図５】本発明に係る第一実施例の本体フレームを示す斜視図である。
【図６】本発明に係る第一実施例の媒体載置ユニットと保持フレーム及びレバー部を示した斜視図である。
【図７】（ａ）は、本発明に係る第一実施例のレバー部及び媒体ガイドが最小幅位置にあるときを示す斜視図である。（ｂ）は、凹部及び媒体ガイドを示す拡大斜視図である。
【図８】本発明に係る第一実施例のレバー部を示す斜視図である。
【図９】本発明に係る第一実施例の保持フレーム及び給紙部の構成を示す斜視図である。
【図１０】本発明に係る第一実施例の給紙部の構成を示す概略図である。
【図１１】本発明に係る第一実施例の開状態（第１の状態）における媒体ガイドとレバー部を示す部分断面図である。
【図１２】本発明に係る第一実施例のレバー部と媒体載置ユニットを示す斜視図である。
【図１３】本発明に係る第一実施例の開閉ユニットの開状態（第１の状態）から閉状態（第４の状態）までの過程で、突部と孔部の動作を説明するためのモデル図である。
【図１４】本発明に係る第一実施例の開閉ユニットにおける開状態（第１の状態）を示す側断面図である。
【図１５】本発明に係る第一実施例の開閉ユニットにおける第２の状態を示した側断面図である。
【図１６】（ａ）は、本発明に係る第一実施例の開閉ユニットにおける第３の状態を示す側断面図である。（ｂ）は、鉛直方向から見たときの突部と孔部を示す断面図である。
【図１７】（ａ）は、本発明に係る第一実施例の開閉ユニットが第３の状態から閉状態（第４の状態）へと遷移する過程における傾斜面と当接面を示す側断面図である。（ｂ）は、開閉ユニットを鉛直方向から見たときの媒体ガイドに形成された突部とレバー部に形成された孔部を示す部分断面図である。
【図１８】本発明に係る第二実施例のレバー部を示した斜視図である。
【図１９】本発明に係る第二実施例の傾斜面と当接面との当接が解除された状態における部分断面図である。
【図２０】本発明に係る第二実施例の傾斜面と当接部が当接している状態における部分断面図である。
【図２１】本発明に係る第二実施例の傾斜面と当接部との当接が解除された状態における部分断面図である。
【図２２】本発明に係る第三実施例の透過センサ及び遮光部を示す側断面図である。
【図２３】本発明に係る第三実施例の動作を表すフローチャート図である。
【図２４】本発明に係る第四実施例の本体フレームを示す斜視図である。
【図２５】本発明に係る第四実施例の開閉ユニットと媒体ガイド及び当接部を示す側断面図である。
【図２６】本発明に係る第四実施例の端部と傾斜面が当接した状態を示す側断面図である。
【発明を実施するための形態】
【０００８】
（第一実施例）
図１は、本発明に係る第一実施例の画像形成装置１の構成を示す側断面図である。図１のＸ、Ｙ、Ｚの各軸は画像形成装置１の上方向に向かってＸ軸をとり、Ｘ軸と直交する方向にＹ軸をとり、給紙方向と直交する方向かつ後述するピックアップローラ６０ａの回転軸であるシャフト６３と平行にＺ軸をとっている。ここで、Ｙ軸は、Ｚ軸と直交する。また、後述する他の図においてＸ、Ｙ、Ｚの各軸が示される場合、これらの軸方向は共通する方向を示すものとする。
【０００９】
本発明に係る画像形成装置１は、媒体に画像形成する画像形成部１５を有する本体装置２と本体装置２に対して開閉可能に配置された開閉ユニット３００から構成される。本体装置２は、媒体としての記録用紙１４ａが載置される用紙トレイ１３、記録用紙１４ａを繰り出す用紙繰り出し部８、繰り出された記録用紙１４ａ及び後述する記録用紙１４ｂを搬送する用紙搬送部３、トナー像の形成を行う画像形成部１５、記録用紙１４ａ、１４ｂに形成されたトナー像を定着する定着部２０、定着部２０でトナー像が定着された記録用紙１４ａ、１４ｂをスタッカ２３へ排出するため搬送ローラ２１、排出ローラ２２とを有する。
【００１０】
図１に示すように、画像形成装置１の本体装置２内の下部には、記録用紙１４ａが積載される用紙トレイ１３が配置される。用紙トレイ１３の用紙繰り出し側には記録用紙１４ａを画像形成部１５へ搬送する用紙繰り出し部８が設けられている。用紙繰り出し部８は、記録用紙１４ａを繰り出すピックアップローラ９、ピックアップローラ９に繰り出された記録用紙１４ａを一枚ずつ分離するフィードローラ１０及び分離片１１が設けられている。
【００１１】
用紙搬送部３は、用紙繰り出し部８から送られてきた記録用紙１４ａを搬送ローラ４、５を経由し、画像形成部１５へ搬送する。また、開閉ユニット３００を構成する媒体載置板３２に媒体としての記録用紙１４ｂが載置され、給紙部６０から搬送された記録用紙１４ｂをフィードローラ６及びリタードローラ７を経由し、一枚に分離された記録用紙１４ｂを搬送ローラ５により、画像形成部１５へ搬送する。また、本体装置２は、ユーザからの操作入力を受け付けるとともに情報を表示する入力表示部２２２、開閉ユニット３００の開閉を検知する開閉センサ２３０、画像形成装置１を制御する制御部３３０を有する。
【００１２】
画像形成部１５は、用紙の搬送方向における上流から４つのトナー像形成部１６Ｋ、１６Ｙ、１６Ｍ、１６Ｃ（各トナー像形成部を区別しない場合は、トナー像形成部１６とする。）とトナー像形成部１６により形成されたトナー像を用紙上に転写する転写部１７を備える。
【００１３】
各トナー像形成部１６はブラック（Ｋ）、イエロー（Ｙ）、マゼンタ（Ｍ）、シアン（Ｃ）のトナー像をそれぞれ形成する。また、各トナー像形成部１６では、図示せぬ帯電ローラにより、各トナー像形成部１６に設けられた４つの感光ドラム２４Ｋ、２４Ｙ、２４Ｍ、２４Ｃを帯電させ、図示せぬ光ヘッドにより回転している感光ドラムを露光して静電潜像を形成し、図示せぬ現像ローラから感光ドラム２４にトナーを付着させることで、感光ドラム２４上にトナー像を形成する。以下、特段区別しないときは感光ドラム２４とする。
【００１４】
転写部１７には、用紙トレイ１３から搬送された記録用紙１４ａ又は開閉ユニット３００から搬送された記録用紙１４ｂを矢印方向Ａに搬送する転写ベルト１８と、各トナー像形成部１６の４つの感光ドラム２４Ｋ、２４Ｙ、２４Ｍ、２４Ｃと対向する位置に４つの転写ローラ１９Ｋ、１９Ｙ、１９Ｍ、１９Ｃが配置されている。ここで、特段区別しないときは転写ローラ１９とする。転写ローラ１９はクーロン力により感光ドラム２４上に現像された各色トナー像を記録用紙１４ａ又は１４ｂ上に順次重ねて転写する。画像形成部１５でトナー像を転写された記録用紙１４ａ又は１４ｂは転写ベルト１８によって、定着部２０へ搬送される。
【００１５】
定着部２０は記録用紙１４ａ又は１４ｂ上に転写されたトナー像を、熱と圧力で、記録用紙１４ａ又は１４ｂ上に定着させる。トナー像が定着された記録用紙１４ａ又は１４ｂは搬送ローラ２１及び排紙ローラ２２により印刷済み用紙を積載するスタッカ２３へ排紙される。
【００１６】
図２は、本発明に係る第一実施例の開閉ユニット３００が閉状態にあるときの画像形成装置１を示す斜視図である。画像形成装置１は、本体装置２と、本体装置２に対して開状態と閉状態の間を回動自在に固定配置された開閉ユニット３００を有する。また、上述した入力表示部２２２は、外装フレーム２ａに配置される。なお、図２に示される開閉ユニット３００の位置を本発明における第４の状態とする。図３は、本発明に係る第一実施例の開閉ユニット３００が開状態にあるときの画像形成装置１を示す斜視図である。なお、図３に示される開閉ユニット３００の位置を本発明における第１の状態とする。
【００１７】
次に、開閉ユニット３００の構成について説明する。図４は開閉ユニット３００の構成を示す側断面図である。本発明において、矢印Ｄが示す方向を記録用紙１４ｂの給紙方向とし、以下に給紙方向Ｄと記述する。開閉ユニット３００は、媒体載置板３２を有する媒体載置ユニット３０、記録用紙１４ｂを媒体載置板３２に載置するすき間を形成するための連動部材としてのレバー部７０が媒体載置板３２の鉛直方向（Ｘ方向）における上方に位置している。また、開閉ユニット３００は、記録用紙１４ｂを媒体載置ユニット３０から本体装置２内に向かう方向（矢印Ｄ）へ給紙するためのピックアップローラ６０ａを有する給紙部６０、前述したように、ピックアップローラ６０ａで給紙された記録用紙１４ｂを搬送するフィードローラ６及びリタードローラ７、給紙部６０を保持する保持フレーム５０によって構成されている。
【００１８】
図４に示すように、媒体載置ユニット３０は、記録用紙１４ｂを載置するための媒体載置板３２、媒体載置板３２に保持され、載置された記録用紙１４ｂをガイドする媒体ガイド３３、媒体載置板３２をピックアップローラ６０ａに向けて付勢する付勢部材６１、媒体載置板３２及び付勢部材６１を保持する媒体載置カバー３１によって構成されている。
【００１９】
また、給紙方向Ｄにおける媒体載置板３２の上流側端部には、給紙方向Ｄと直交する方向（Ｚ方向）に伸びる軸部２５２が形成される。軸部２５２は媒体載置カバー３１に形成された長孔部１３５に挿入されているため、媒体載置板３２は、媒体載置カバー３１に対して軸部２５２を中心に矢印Ｂ及び矢印Ｃ方向に回動自在である。ここで、媒体載置カバー３１は、本体装置２に対して回動自在に設けられ、媒体載置板３２は媒体載置カバー３１と共に回動する。また、媒体載置カバー３１の給紙方向Ｄにおける下流側端部にはストッパ部５０１が設けられており、後述する本体装置２の本体フレーム１５０とストッパ部５０１とが当接することで、媒体載置ユニット３０は、本体装置２に対して開いた状態を保持することができる。
【００２０】
図４に示すように、付勢部材６１は媒体載置板３２と媒体載置カバー３１の間に配置される圧縮スプリングである。媒体載置板３２は付勢部材６１の付勢力により軸部２５２周りに矢印Ｂ方向に回動する力を受ける。媒体載置板３２が付勢部材６１からの付勢力を受けることで、媒体載置板３２上にある記録用紙１４ｂは、媒体挟持部２６上でピックアップローラ６０ａと当接する。
【００２１】
図５は本発明に係る第一実施例の本体フレーム１５０を示す斜視図である。本体フレーム１５０は、本体装置２に配置され、開閉ユニット３００を本体装置２に保持する部材であり、図２に示される外装フレーム２ａ内に配置される。また、図５に示すように、本体フレーム１５０は、給紙方向Ｄと直交する方向（Ｚ方向）における両端側に、媒体載置ユニット３０を構成する媒体載置カバー３１を軸支する軸部２５０を有する。
【００２２】
本体フレーム１５０には、給紙方向Ｄと直交する方向（Ｚ方向）に沿ってガイド面１５０ａ、１５０ｂが形成されている。また、給紙方向Ｄと直交する方向（Ｚ方向）におけるガイド面１５０ａの端部に面部１５６ａが形成される。給紙方向Ｄと直交する方向（Ｚ方向）におけるガイド面１５０ｂの端部に面部１５６ｂが対向して配置される。ガイド面１５０ａ、１５０ｂは、ピックアップローラ６０ａから給紙された記録用紙１４ｂを本体装置２内にガイドする。ここで、面部１５６ａ、１５６ｂは、給紙方向と直交する方向（Ｚ方向）における本体フレーム１５０の中央領域に配置される。
【００２３】
また、本体フレーム１５０には、後述する本体装置２を構成する上部フレーム５００を取り付けるための取り付け開口部１５５が形成される。取り付け開口部１５５には、取り付け開口部１５５を塞ぐように前記上部フレーム５００が固定配置される。上部フレーム５００によって、保持フレーム５０が回動自在に保持される。また、本体フレーム１５０は、給紙方向Ｄと直交する方向（Ｚ方向）において、ガイド面１５０ａの給紙方向と直交する方向（Ｚ方向）における他端側に後述するレバー部７０の押圧アーム部１１０ａと当接するストッパ部５０２ａを有する。同じくガイド面１５０ｂの他端側に押圧アーム部１１０ｂと当接する５０２ｂを有する。ここで、ストッパ部５０２ａ、５０２ｂを特段区別しないときはストッパ部５０２とする。
【００２４】
図６は、本発明に係る第一実施例の媒体載置ユニット３０と保持フレーム５０及びレバー部７０を示す斜視図である。媒体載置カバー３１には、軸部２５０が挿入される軸受け部１５２が形成される。軸受け部１５２は、給紙方向Ｄにおける媒体載置カバー３１の下流側端部に配置される。また、軸受け部１５２は、給紙方向Ｄと直交する方向（Ｚ方向）において媒体載置カバー３１の一端側と他端側の二か所に配置される。軸部２５０が軸受け部１５２に挿入されているため、媒体載置カバー３１は本体装置２に対して軸部２５０を中心に回動自在である。
【００２５】
図６に示すように、媒体ガイド３３は媒体載置板３２上に配置され、給紙方向Ｄと直交する方向（Ｚ方向）に沿って、二つ（３３ａ、３３ｂ）配置されている。媒体ガイド３３ａはガイド面８０ａを、媒体ガイド３３ｂはガイド面８０ｂを有しており、二つのガイド面８０ａ、８０ｂは、給紙方向Ｄと平行に延在し、互いに向き合って配置されている。ここで、媒体ガイド３３ａ、３３ｂを特段区別しないときは、媒体ガイド３３とする。
【００２６】
また、媒体載置板３２の下面部において媒体ガイド３３には給紙方向Ｄと直交する方向（Ｚ方向）に図示しないラックが設けられており、図示しないピニオンギアと係合することで、媒体ガイド３３ａ、３３ｂが連動して給紙方向Ｄと直交する方向（Ｚ方向）にスライド自在となっている。ラックとピニオンギアの構造は、特開２０１３−４３７３７に記載される実施例と同様の構造である。
【００２７】
図６に示すように、保持フレーム５０に形成される軸部２５１は、本体装置２を構成する上部フレーム５００に形成される軸受け部１５３に挿入される。給紙方向Ｄと直交する方向（Ｚ方向）における他端側も同様である。そのため、保持フレーム５０は、軸受け部１５３に対して回動自在である。
【００２８】
また、給紙方向Ｄと直交する方向（Ｚ方向）における媒体載置カバー３１の両側端部には、給紙方向Ｄに沿って延在する溝部９０ａ、他端側に溝部９０ｂが形成される。保持フレーム５０の連動アーム部５１に形成された突起部２５４は、溝部９０ａ、９０ｂと遊嵌する。そのため、ユーザが開閉ユニット３００を開閉させるときに、保持フレーム５０において、連動アーム部５１の突起部２５４が媒体載置カバー３１の溝部９０ａ、９０ｂに沿って、スライド移動する。よって、保持フレーム５０は、媒体載置ユニット３０の媒体載置カバー３１の回動と連動して、軸部２５１を中心に回動する。
【００２９】
図６に示すように、レバー部７０の給紙方向Ｄにおける上流側に、給紙方向Ｄと直交する方向（Ｚ方向）に延びる把持部７０ａが形成される。また、給紙方向Ｄにおける把持部７０ａの下流側端部に押圧アーム部１１０が配置される。押圧アーム部１１０は、給紙方向Ｄと直交する方向（Ｚ方向）において、一端側と他端側に２つ配置される。媒体載置ユニット３０が開状態にあるとき、押圧アーム部１１０は、本体フレーム１５０に形成されたストッパ部５０２に当接する。またレバー部７０について、後段で詳しく説明する。
【００３０】
図７（ａ）は、本発明に係る第一実施例のレバー部７０と、媒体ガイド３３が最小幅位置にあるときを示す斜視図である。図７（ｂ）は、図７（ａ）の凹部７２及び媒体ガイド３３を示す拡大斜視図である。
【００３１】
図７（ａ）に示すように、媒体載置板３２は、記録用紙１４ｂを載置する媒体載置面３２ａを有する。凹部７２は、給紙方向Ｄと直交する方向（Ｚ方向）において、レバー部７０の中央に形成され、ガイド面８０ａとガイド面８０ｂが給紙部６０に最も近づいた位置である最小幅位置にあるとき、ガイド面８０ａとガイド面８０ｂとの間の領域の上方に配置される。また、媒体載置面３２ａの前述した領域に載置された記録用紙１４ｂの上方への移動を規制する。
【００３２】
例えば、記録用紙１４ｂの中央が給紙方向Ｄに沿って折り曲がっていると、媒体ガイド３３の後述する突部３４だけでは用紙抑えが適正にされない場合がある。それを改善するために、凹部７２が記録用紙１４ｂの給紙方向Ｄと直交する方向（Ｚ方向）における中央を抑える。ここで、最小幅位置とは、最小用紙幅の記録用紙１４ｂをガイドするときの媒体ガイド３３の位置のことをいう。
【００３３】
図７（ｂ）に示すように、媒体載置板３２は、媒体ガイド３３が最小幅位置にスライドしたときに当接する被当接部８１を有する。また、媒体ガイド３３ａは、最小幅位置までスライドしたときに被当接部８１と当接する媒体載置部４０ａを有する。媒体載置部４０ａは、ガイド面８０ａから給紙方向Ｄと直交する方向（Ｚ方向）に延在している。同様に、媒体ガイド３３ｂは媒体載置部４０ｂを有する。凹部７２は記録用紙１４ｂを抑えるガイド部７８と、給紙方向Ｄと直交する方向（Ｚ方向）におけるガイド部７８の一端側から鉛直方向（Ｘ方向）と平行に伸びる壁部７２ａと、給紙方向Ｄと直交する方向（Ｚ方向）おける他端側から鉛直方向（Ｘ方向）と平行に伸びる後述する壁部７２ｂによって構成されている。
【００３４】
また、ガイド部７８から壁部７２ａにかけて孔部７３ａが形成されている。壁部７２ａにおいて給紙方向Ｄにおける孔部７３ａの下流側端部には、後述する突部３４ａと当接する第１の当接部としての当接面７４ａが形成される。孔部７３ａの上流側端部には、側面部７６ａが配置される。また、孔部７３ａにおいて、当接面７４ａ上方から側面部７６ａ上方にかけて延在する孔部上面部７５ａが形成されている。給紙方向Ｄと直交する方向（Ｚ方向）におけるガイド部７８の一端側には、孔部７３ａを構成する逃げ部７７ａが形成される。
【００３５】
図８は、本発明に係る第一実施例のレバー部７０を示す斜視図である。前述したように、ガイド部７８から壁部７２ｂにかけて孔部７３ｂが形成される。壁部７２ｂにおいて、給紙方向Ｄにおける孔部７３ｂの下流側端部には、後述する突部３４ｂと当接する当接面７４ｂが形成される。また、孔部７３ｂの上流側端部には側面部７６ｂが配置される。そして、孔部７３ｂにおいて、当接面７４ｂ上方から側面部７６ｂ上方にかけて延在する孔部上面部７５ｂが形成されている。ここで、孔部７３ａ、７３ｂを特段区別しないときは孔部７３とする。
【００３６】
給紙方向Ｄと直交する方向（Ｚ方向）におけるガイド部７８には、孔部７３ｂを構成する逃げ部７７ｂが形成される。ここで、当接面７４ａ、７４ｂを特段区別しないときは当接面７４とする。
【００３７】
前述したように、レバー部７０は、給紙方向Ｄと直交する方向（Ｚ方向）に延び、ユーザ操作を受ける把持部７０ａ、給紙方向Ｄにおける把持部７０ａ下流側に配置された押圧アーム部１１０ａ、１１０ｂを有する。さらに、給紙方向Ｄにおける押圧アーム部１１０ａ、１１０ｂと把持部７０ａの間に形成された孔７１ａ、７１ｂを有する。以下、押圧アーム部１１０ａ、１１０ｂを特段区別しないときは、押圧アーム部１１０とする。孔７１ａ、７１ｂは保持フレーム５０に形成された軸部２５３に嵌入されており、保持フレーム５０に対して軸部２５３を中心に回動自在に軸支されている。
【００３８】
図９は、本発明に係る第一実施例の保持フレーム５０及び給紙部６０の構成を示す斜視図である。給紙部６０は、ピックアップローラ６０ａ、ピックアップローラ６０ａを図示しないモータ駆動により回転させるギヤ６０ｂ、ピックアップローラ６０ａ及びギヤ６０ｂを保持フレーム５０に固定する支持部材６０ｃから構成されている。
【００３９】
支持部材６０ｃは、保持フレーム５０の給紙方向Ｄと直交する方向（Ｚ方向）にねじ６２によって固定されている。ここで、ピックアップローラ６０ａは給紙方向Ｄと直交する方向（Ｚ方向）において、開閉ユニット３００の中央に配置されるよう保持フレーム５０に支持されている。
【００４０】
保持フレーム５０は、保持フレーム５０の回動軸となる軸部２５１と、レバー部７０を保持する軸部２５３と、軸部２５１から離れる方向に延在する連動アーム部５１と、連動アーム部５１の軸部２５１の反対側端部に形成された突起部２５４を有する。給紙方向Ｄにおいて、軸部２５１は保持フレーム５０の下流側端部に設けられ、突起部２５４は上流側端部に設けられる。軸部２５３は、軸部２５１と突起部２５４との間に配置される。
【００４１】
ここで、軸部２５１、２５３、連動アーム部５１、突起部２５４は、給紙方向Ｄと直交する方向（Ｚ方向）における保持フレーム５０の一端側と他端側の二か所に配置される。
【００４２】
図１０は、本発明に係る第一実施例の給紙部６０の構成を示す概略図である。給紙部６０は、前述した通り、ピックアップローラ６０ａと、ギヤ６０ｂと、支持部材６０ｃとから構成される。ピックアップローラ６０ａとギヤ６０ｂは一体に構成されており、支持部材６０ｃを構成するシャフト６３が挿入される貫通穴６４を有する。支持部材６０ｃは、ホルダ部６５と、ホルダ部６５の固定部６６に固定されているシャフト６３から構成される。これによって、図示しないモータの駆動がギヤ６０ｂに伝達されると、ギヤ６０ｂと一体に構成されるピックアップローラ６０ａがシャフト６３周りに回転する。
【００４３】
図１１は、本発明に係る第一実施例の開状態（第１の状態）における媒体ガイド３３ａ、３３ｂとレバー部７０を示す部分断面図である。媒体ガイド３３ａには、ガイド面８０ａから給紙方向Ｄと直交する方向（Ｚ方向）に突出する突部３４ａが、媒体ガイド３３ｂのガイド面８０ｂから給紙方向Ｄと直交する方向（Ｚ方向）に突出する突部３４ｂが互いに形成される。また、突部３４ａ、３４ｂによって記録用紙１４ｂが鉛直上方向（Ｘ方向）に移動することが規制される。ここで、突部３４ａ、３４ｂを特段区別しないときは、突部３４とする。
【００４４】
突部３４ａの給紙方向Ｄにおける下流側には傾斜面３６ａが形成される。傾斜面３６ａは、開閉ユニット３００を本体装置２に対して開状態（第１の状態）から閉状態（第４の状態）にする過程で、レバー部７０の凹部７２に形成された当接面７４ａと当接する。同様に、突部３４ｂの給紙方向Ｄにおける下流側に、傾斜面３６ｂが形成される。傾斜面３６ｂは、開閉ユニット３００を本体装置２に対して開状態（第１の状態）から閉状態（第４の状態）にする過程で、レバー部７０の凹部７２に形成された当接面７４ｂと当接する。ここで、傾斜面３６ａ、３６ｂを特段区別しないときは傾斜面３６とする。
【００４５】
ここで、給紙方向Ｄと直交する方向（Ｚ方向）におけるガイド面８０ａ、８０ｂの中央を通る給紙方向Ｄと平行な直線Ｓは、給紙方向Ｄと直交する方向（Ｚ方向）におけるピックアップローラ６０ａの中央を通る。
【００４６】
図１１に示すように、傾斜面３６ａと当接面７４ａは、給紙方向Ｄと直交する方向（Ｚ方向）において、重なり合う領域を持つように配置されている。ここで、給紙方向Ｄと直交する方向（Ｚ方向）における固定部６６と、直線Ｓの距離をＷ１とする。媒体ガイド３３ａ、３３ｂが最小幅位置にあるとき、給紙方向Ｄと直交する方向（Ｚ方向）における直線Ｓからガイド面８０ａまでの距離をＷ２とし、給紙方向Ｄと直交する方向（Ｚ方向）における突部３４ａと壁部７２ａの重なり量をＷ３とすると、Ｗ１＜Ｗ２＋Ｗ３の関係となるように設定している。このとき、傾斜面３６ａと当接面７４ａは当接していない。
【００４７】
以上の構成において、本発明に係る画像形成装置１に記録用紙１４ｂをセットする動作について説明する。
【００４８】
ユーザは媒体載置板３２に最小用紙幅の記録用紙１４ｂをセットするために、媒体ガイド３３ａを最小幅位置までスライドさせる。本実施例において、画像形成装置１で給紙できる最小用紙幅は、５０ｍｍとする。
【００４９】
図７（ｂ）に示すように、ユーザが媒体ガイド３３ａを給紙方向Ｄと直交する方向（Ｚ方向）に、給紙部６０に向けてスライドさせていくと、媒体ガイド３３ａの媒体載置部４０ａと媒体載置板３２の被当接部８１が当接する。これにより媒体ガイド３３は最小幅位置で停止した状態となる。また前述した通り、媒体ガイド３３ａと媒体ガイド３３ｂは互いに連動してスライドする。また、給紙方向Ｄと直交する方向（Ｚ方向）において、媒体載置部４０ｂは、被当接部８１と当接する。これによって、媒体ガイド３３ｂは、媒体ガイド３３ａと対称の位置で停止する。
【００５０】
図７（ｂ）、図１１に示すように、媒体ガイド３３ａ、３３ｂが最小幅位置にあるとき、媒体ガイド３３ａに形成された突部３４ａはレバー部７０の孔部７３ａに挿入された状態となる。
【００５１】
図１２は、本発明に係る第一実施例のレバー部７０と媒体載置ユニット３０を示す斜視図である。ユーザが、レバー部７０の把持部７０ａを把持して、把持部７０ａを鉛直方向（Ｘ方向）へ持ち上げると、レバー部７０は、保持フレーム５０に形成された軸部２５３を中心に回動する。このとき、押圧アーム部１１０は媒体載置板３２が受けている付勢力に抗して、媒体載置板３２を押圧する。媒体載置板３２は矢印Ｃ方向に軸部２５２を中心に回動し、記録用紙１４ｂを載置するためのすき間が給紙部６０と媒体載置板３２の間に形成される。
【００５２】
このとき、媒体載置板３２の給紙方向Ｄ下流側に形成された溝部２２０と押圧アーム部１１０が嵌合することで、レバー部７０が媒体載置板３２を押圧する状態が保持される。図６に示すように、ユーザが把持部７０ａを把持して、把持部７０ａを鉛直方向下方（−Ｘ方向）に下げることで、押圧アーム部１１０が本体フレーム１５０に配置されるストッパ部５０２に当接し、媒体載置板３２とレバー部７０の角度関係が保持される。
【００５３】
図１１、図１２に示すように、ガイド部７８は、逃げ部７７ａ、７７ｂが形成されているため、媒体ガイド３３が最小幅位置にあって、突部３４が孔部７３に挿入された状態にあっても、ユーザの操作によってレバー部７０の把持部７０ａが鉛直方向（Ｘ方向）に持ち上げられる。そして、ユーザは、媒体載置板３２へ記録用紙１４ｂをセットする。
【００５４】
ユーザは、記録用紙１４ｂをセットした後、図１２の状態から把持部７０ａを下方に押し下げる。その後、印刷を開始する。媒体載置板３２にセットされた記録用紙１４ｂが、給紙部６０によって、本体装置２内へ給紙される。図１に示す画像形成部１５によるトナー像の形成が記録用紙１４ｂに形成される。その後、記録用紙１４ｂは、転写ベルト１８により定着部２０へ搬送される。さらに、記録用紙１４ｂは、画像形成部１５で形成されたトナー像が定着部２０において定着させられる。最後に、搬送ローラ２１、排出ローラ２２によりスタッカ２３へ記録用紙１４ｂが排紙される。
【００５５】
次に、ユーザが、開閉ユニット３００を開状態（第１の状態）から閉状態（第４の状態）に移動させる動作について説明する。以下、突部３４ａと孔部７３ａとの関係について詳細を説明するが、特に説明のない場合は、突部３４ｂと孔部７３ｂの関係も同様である。
【００５６】
図１３は、開閉ユニット３００の開状態（第１の状態）から閉状態（第４の状態）までの過程で、突部３４と孔部７３の動作を説明するためのモデル図である。後述するが、開閉ユニット３００を開状態（第１の状態）から閉状態（第４の状態）に移動する過程において、保持フレーム５０とレバー部７０の相対的な位置関係はほぼ変わらないため、このときのレバー部７０の仮想的な回動中心２５１Ｇは、保持フレーム５０の回動中心である軸部２５１と略同一となる。
【００５７】
図１３に示す実線部は、開閉ユニット３００の開状態（第１の状態）における孔部７３ａを構成する当接面７４ａと、突部３４ａを構成する傾斜面３６ａとの位置関係を示している。ここで、点Ｐは、当接面７４ａと最初に接する傾斜面３６ａ内の点を示しており、点Ｑは、傾斜面３６ａと最初に接する当接面７４ａ内の点を示している。また、図１３のモデル図を使って開閉動作を説明するために、点Ｐを傾斜面３６ａの給紙方向Ｄにおける端部に示しているが、本実施例では、例えば、図１１のように傾斜面３６ａ端部近傍が最初に当接する点となる。
【００５８】
また、回動軌跡Ｌ１は、ユーザが開状態（第１の状態）から閉状態（第４の状態）へと開閉ユニット３００を遷移させるときの点Ｑの回動軌跡を示しており、軸部２５１を中心とする点Ｑを通る円弧である。回動軌跡Ｌ２はユーザが、開状態（第１の状態）から閉状態（第４の状態）へと開閉ユニット３００を遷移させるときの点Ｐの回動軌跡を示しており、軸部２５０を中心とする点Ｐを通る円弧である。また、Ｌ１の半径はＲ１、Ｌ２の半径はＲ２で示される。
【００５９】
図１３に示す点線部は、ユーザが開閉ユニット３００を開状態（第１の状態）から閉状態（第４の状態）へと遷移させる過程おいて、突部３４ａを構成する突部上面部３７ａが、孔部７３ａを構成する孔部上面部７５ａと当接し始める状態を示している。なお、上記の開閉ユニット３００の状態を、以下第２の状態とする。
【００６０】
図１３に示す一点鎖線は、ユーザが開閉ユニット３００を開状態（第１の状態）から閉状態（第４の状態）へと遷移させる過程おいて、点Ｐ及び点Ｑが回動軌跡Ｌ１と回動軌跡Ｌ２との交点１１１と同じ位置にあるときの、当接面７４ａと、傾斜面３６ａとの位置関係を示している。このとき、傾斜面３６ａの点Ｐと当接面７４ａの点Ｑとが当接した状態となる。なお、上記の開閉ユニット３００の状態を、以下第３の状態とする。
【００６１】
図１３に示す二点鎖線は、開閉ユニット３００が閉状態（第４の状態）にあるときの、当接面７４ａと傾斜面３６ａとの位置関係を示している。
【００６２】
本実施例において、軸部２５０は軸部２５１と、距離ｄ１離間しており、軸部２５０と軸部２５１は、同一の位置とならないようにする。さらに、これらの位置関係は、
Ｒ１＋Ｒ２＞ｄ１
となるように位置関係を設定している。これにより、開閉ユニット３００が開状態（第１の状態）から閉状態（第４の状態）への遷移の過程で、回転軌跡Ｌ１と回転軌跡Ｌ２が交差することで、傾斜面３６ａと当接面７４ａが完全に交差することになる。
【００６３】
また、開閉ユニット３００が開状態（第１の状態）から閉状態（第４の状態）への遷移の過程で傾斜面３６ａと当接面７４ａの当接位置である交点１１１が形成されるよう、傾斜面３６ａと当接面７４ａが配置される。交点１１１は、本モデルでいうと、回転軌跡Ｌ１と回転軌跡Ｌ２が交わる位置である。
【００６４】
図１４は、本発明に係る第一実施例の開閉ユニット３００の開状態（第１の状態）を示す側断面図である。前述したように、媒体ガイド３３ａに形成された突部３４ａはレバー部７０の孔部７３ａに挿入された状態にある。開閉ユニット３００を給紙方向Ｄと直交する方向（Ｚ方向）から見たとき、突部３４ａは、孔部７３ａの給紙方向Ｄ下流側端部にある当接面７４ａと、上流側端部にある側面部７６ａの間に位置している。また、突部上面部３７ａと孔部上面部７５ａは当接していない。
【００６５】
図６に示すように、レバー部７０の押圧アーム部１１０は本体装置２のストッパ部５０２と当接しており、レバー部７０は、図６、図１４に図示する位置で停止している。
【００６６】
ユーザは、図１４に示す突部３４ａが孔部７３ａに挿入された状態から、開閉ユニット３００を開状態（第１の状態）から閉状態（第４の状態）へと遷移させる。開状態（第１の状態）から閉状態（第４の状態）にするために、ユーザの操作によるが外力が加わると、開閉ユニット３００を構成する媒体載置ユニット３０は矢印Ｊ方向へ軸２５０を中心に回動を開始する。
【００６７】
このとき、媒体載置ユニット３０の回動に伴って、保持フレーム５０が軸部２５１を中心に矢印Ｊ方向に回動を開始する。また、媒体載置ユニット３０と共に、媒体載置板３２及び媒体ガイド３３は、軸部２５０を中心に矢印Ｊ方向に回動を開始する。このとき、孔部上面部７５ａと突部上面部３７ａは離間したままなので、レバー部７０の押圧アーム部１１０は、図６に示される本体装置２の本体フレーム１５０に形成されたストッパ部５０２と当接した状態のままとなる。
【００６８】
図１５は、本発明に係る第一実施例の開閉ユニット３００の第２の状態を示す側断面図である。ユーザが、開閉ユニット３００を本体装置２に対して開状態（第１の状態）から閉状態（第４の状態）にしようとして開閉ユニット３００に外力を加えると、図１４に示す開状態（第１の状態）から図１５に示す第２の状態に遷移する。第２の状態において、突部上面部３７ａと孔部上面部７５ａは当接した状態となる。
【００６９】
このとき、図６に示すレバー部７０の押圧アーム部１１０と本体装置２のストッパ部５０２の当接が解除される。このとき、レバー部７０は、前述した通り、保持フレーム５０との相対位置関係を維持しながら回動するため、レバー部７０は実質的に軸部２５１を中心にＪ方向に回動し始める。
【００７０】
引き続き、ユーザの開閉ユニット３００を閉じる操作による外力が加わると、媒体載置ユニット３０は軸２５０を中心に、レバー部７０は軸部２５１を中心に回動するため、媒体載置ユニット３０を構成する突部上面部３７ａとレバー部７０に形成された孔部上面部７５ａが当接した状態を維持したまま、媒体載置ユニット３０及びレバー部７０はＪ方向に回動する。このとき、傾斜面３６ａと当接面７４ａの当接はまだ開始されていない。
【００７１】
さらに、ユーザによる外力が開閉ユニット３００に加わると、開閉ユニット３００は、第２の状態から第３の状態に遷移する。
【００７２】
図１６（ａ）は、本発明に係る第一実施例の開閉ユニット３００の第３の状態を示す側断面図である。図１３に示す交点１１１において、図１６（ａ）に示すように傾斜面３６ａと当接面７４ａとの当接が開始される。なお、突部上面部３７ａと孔部上面部７５ａの当接状態は維持されたままである。
【００７３】
図１６（ｂ）は、本発明に係る第一実施例の図１６（ａ）の開閉ユニット３００を鉛直方向（Ｘ方向）から見たときの突部３４と孔部７３を示す断面図である。ユーザの開閉ユニット３００を閉じる動作による外力が傾斜面３６ａと当接面７４ａ及び傾斜面３６ｂと当接面７４ｂに加わる。それによって、媒体ガイド３３のスライドする方向及び給紙部６０から離間する方向に、傾斜面３６ａ、３６ｂに外力Ｆが働く。それにより媒体ガイド３３ａ、３３ｂは、図１１で示す突部３４ａと壁部７２ｂとの重なり量Ｗ３の長さと同等の距離を、給紙部６０から離間する退避位置に向けてスライド移動させられる。ここで、本実施例において、傾斜面３６ａと当接面７４ａ及び傾斜面３６ｂと当接面７４ｂをそれぞれ当接するようにしているが、これに限らず、傾斜面３６ａと当接面７４ａ及び傾斜面３６ｂと当接面７４ｂのそれぞれ一方を当接させてもよい。
【００７４】
さらに、ユーザによる外力が開閉ユニット３００に加わると、開閉ユニット３００は、第３の状態から閉状態（第４の状態）へと遷移する。ここで、第３の状態から閉状態（第４の状態）へと遷移する過程において、媒体ガイド３３は、最小用紙幅の記録用紙１４ｂを給紙するときの位置から退避位置へと移動する。
【００７５】
図１６（ｂ）に示される突部３４の傾斜面３６の角度θは、３０°〜６０°が望ましい。例えば、傾斜の角度が３０°未満の場合、開閉装置ユニット３００が開状態（第１の状態）から閉状態（第４の状態）への遷移の過程で傾斜面３６と当接面７４の当接距離が長くなり、適正に媒体ガイド３３が給紙部６０に対して退避が行われる前に、媒体ガイド３３と給紙部６０が接触する可能性がある。また傾斜面３６の角度θが６０°より大きい場合、傾斜面３６と当接面７４の摩擦が大きくなり、媒体ガイド３３は、給紙部６０に対して退避が十分行われない可能性がある。
【００７６】
図１７（ａ）は、本発明に係る第一実施例の開閉ユニット３００が第３の状態から閉状態（第４の状態）へと遷移する過程における傾斜面３６と当接面７４を示す側断面図である。このとき、傾斜面３６ａと当接面７４ａの当接が解除されることで、媒体ガイド３３ａは、給紙部６０から離間したことになる。
【００７７】
図１７（ｂ）は、本発明に係る第一実施例の図１７（ａ）の開閉ユニット３００を鉛直方向（Ｘ方向）から見たときの媒体ガイド３３に形成された突部３４とレバー部７０に形成された孔部７３を示す部分断面図である。傾斜面３６と当接面７４の当接が解除されると、媒体ガイド３３は退避位置に停止する。
【００７８】
このとき、図１１に示される給紙方向Ｄと直交する方向（Ｚ方向）における固定部６６から直線Ｓまでの距離をＷ１とし、給紙方向Ｄと直交する方向（Ｚ方向）において、直線Ｓから媒体ガイド３３ａ、３３ｂが最小幅位置にあるときのガイド面８０ａまでの距離をＷ２とし、媒体ガイド３３ａ、３３ｂが最小幅位置にあるときの突部３４ｂと壁部７２ｂとの重なり量Ｗ３とし、図１７（ｂ）に示される媒体ガイド３３ａ、３３ｂが退避位置にあるときの給紙方向Ｄと直交する方向（Ｚ方向）におけるガイド面８０ａと８０ｂの中心を通る直線Ｓからガイド面８０ａまでの距離をＷ４としたとき、
Ｗ４＝Ｗ２＋Ｗ３＞Ｗ１
の関係となるよう設定している。このため、開閉ユニット３００が第３の状態から閉状態（第４の状態）へと遷移する過程において、媒体ガイド３３ａ、３３ｂを退避位置へ移動させることが出来る。
【００７９】
前述したように、媒体ガイド３３ｂは、媒体ガイド３３ａに形成された突部３４ａと凹部７２の壁部７２ａとの重なり量Ｗ３の長さと同等の距離を給紙部６０から離間する方向へ移動する。それにより、退避位置にあるときの直線Ｓから媒体ガイド３３ａのガイド面８０ａまでの幅Ｗ４は、固定部６６から直線Ｓまでの距離Ｗ１よりも大きくなる。したがって、退避位置では、媒体ガイド３３と給紙部６０が接触することはない。
【００８０】
なお、本発明の傾斜面３６を面取状の形状を用いて説明したが、Ｒ状の傾斜を用いても同様の効果を得られる。
【００８１】
本実施例の構成により、本体装置２に対して開状態（第１の状態）と閉状態（第４の状態）の間を移動自在の開閉ユニット３００及び媒体載置ユニット３０が、開状態（第１の状態）から閉状態（第４の状態）へ遷移する過程で、媒体載置板３２に配置された媒体ガイド３３が最小幅に配置された状態であっても、突部３４が、当接部としての当接面７４と当接することによって、媒体ガイド３３を、給紙方向Ｄと直交する方向（Ｚ方向）であって、給紙部６０から離間する方向へ移動させることができる。そのため、媒体ガイド３３が最小幅位置にあるときに、開閉ユニット３００を開状態（第１の状態）から閉状態（第４の状態）へ遷移する場合であっても、媒体ガイド３３と給紙部６０が干渉することなく、開閉ユニット３００を閉じることができる。
（第二実施例）
次に、本発明に係る画像形成装置１及び媒体載置装置における第二実施例について図を用いて説明する。第一実施例の画像形成装置１及び開閉ユニット３００と構成及び動作が同様であるので第二実施例の構成において、第一実施例と異なる点を中心に説明する。
【００８２】
第二実施例では、孔部７３の当接面７４に加えて、後述する突部１７０ａ、１７０ｂを設けたことを特徴とする。ここで、突部１７０ａ、１７０ｂを特段区別しないときは突部１７０とする。
【００８３】
本実施例におけるレバー部２７０の凹部７２に形成された突部１７０について図１８を用いて説明する。図１８は本発明の第二実施例におけるレバー部２７０を示す斜視図である。
【００８４】
図１８に示すように、凹部７２を構成する壁部７２ｂから突出する突部１７０ｂは、孔部７３ｂの当接面７４ｂと傾斜面３６ｂとの当接が解除された後に、傾斜面３６ｂと当接する第２の当接部としての当接部１７４ｂを有する。給紙方向Ｄと直交する方向（Ｚ方向）において、突部１７０ｂは、後述する図２０に示すように、壁部７２ｂから距離Ｗ５だけ突出している。また、当接部１７４ｂは、当接面７４ｂと当接面７４ｂの回動中心２５１（２５１Ｇ）との間に位置するよう配置される。なお、壁部７２ａ側にも同様に当接部１７４ａを有する突部１７０ａが形成される。ここで、当接部１７４ａ、１７４ｂを特段区別しないときは、当接部１７４とする。
【００８５】
図１９は、本発明に係る第二実施例の傾斜面３６と当接面７４との当接が解除された状態における部分断面図である。また、図１９は、第一実施例における傾斜面３６と当接面７４の当接が解除されたときの状態を第二実施例の構成に置き換えた図である。図１９の傾斜面３６ａ、３６ｂと当接面７４ａ、７４ｂとの当接が解除された後、さらにユーザによる外力が加わると、図１３に示される突部３４の回転軌跡Ｌ２上で、傾斜面３６ａと突部１７０ａの当接部１７４ａ及び傾斜面３６ｂと突部１７０ｂの当接部１７４ｂが当接する。
【００８６】
図２０は、本発明に係る第二実施例の傾斜面３６と当接部１７４が当接している状態における部分断面図である。傾斜面３６と壁部７２に形成された突部１７０の当接部１７４の当接後、開閉ユニット３００の開状態（第１の状態）から閉状態（第４の状態）へユーザの開閉ユニット３００を閉じる動作により、外力が傾斜面３６及び当接部１７４に加わると、傾斜面３６に外力Ｆが、媒体ガイド３３がスライドする方向及び給紙部６０から離間する方向に働く。
【００８７】
これによって、媒体ガイド３３ａ、３３ｂは、Ｗ５と同等の距離を給紙部６０から離間する方向へスライド移動させられる。
【００８８】
図２１は、本発明に係る第二実施例の傾斜面３６と当接部１７４との当接が解除された状態における部分断面図である。ここで、媒体ガイド３３ａ、３３ｂが退避位置にあるときの給紙方向Ｄと直交する方向（Ｚ方向）において、直線Ｓからガイド面８０ａまでの距離をＷ６としたとき、Ｗ６＝Ｗ２＋Ｗ３＋Ｗ５＞Ｗ１の関係となるよう設定する。
【００８９】
その後、図２１に示すように、傾斜面３６ａと当接部１７４ａ、１７４ｂと傾斜面３６ｂの当接が解除され、媒体ガイド３３ａ、３３ｂは、給紙部６０から退避した状態となる。
【００９０】
本実施例の構成により、突部１７０の当接部１７４が、孔部７３の当接面７４と当接面７４の回動中心２５１との間に位置するよう配置されるため、図１３における傾斜面３６の回動軌跡Ｌ２上で当接面７４と傾斜面３６の当接が解除された後、傾斜面３６と当接部１７４が当接するようになる。このため、開閉ユニット３００が図１３に示す第３の状態から閉状態（第４の状態）へと遷移する過程において、媒体ガイド３３を退避位置へより確実に移動させることが出来る。
【００９１】
なお、本発明の傾斜面３６を面取状の形状を用いて説明したが、Ｒ状の傾斜を用いても同様の効果を得られる。また、本発明の当接部１７１の形状に傾斜を形成するもしくはＲ状の形状にしてもよい。その際は、突部３４の形状を直角上の形成にすることで、同様の効果を得られる。
（第三実施例）
開閉ユニット３００が、開状態（第１の状態）から閉状態（第４の状態）へ遷移した後、再度開閉ユニット３００を開状態（第１の状態）にしたときに、ユーザが、媒体ガイド３３が退避位置に移動したことに気づかない場合がある。
【００９２】
上記の問題を防ぐために、第三実施例では図１に示す、ユーザの操作入力を受け付けるとともに、本体装置情報を表示する入力表示部２２２、開閉ユニット３００が開状態（第１の状態）又は閉状態（第４の状態）であることを検知する開閉センサ２３０、後述する媒体載置ユニット３０を構成し、遮光部材としての遮光部４１を有する媒体ガイド１３３ｂ、媒体載置カバー１３１に配置された透過センサ２００、図１に示す入力表示部２２２と開閉センサ２３０、透過センサ２００からの情報を基に画像形成装置１を制御する制御部３３０を用いる。
【００９３】
入力表示部２２２は、ユーザに画像形成装置１の内部情報、例えば、紙詰まりや、トナー量、本実施例では媒体ガイド１３３ｂの位置の確認をユーザに促すメッセージを表示する。
【００９４】
図２２は、本発明に係る第三実施例の透過センサ２００及び遮光部４１を示す側断面図である。透過センサ２００は、発光部２０１と受光部２０２を有している。透過センサ２００は、給紙方向Ｄにおける、媒体載置カバー１３１の下流側に配置される。また、透過センサ２００は、媒体ガイド１３３ｂが退避位置にあるとき、遮光部４１によって、発光部２０１から受光部２０２へ向かう光が遮光される位置に配置される。媒体ガイド１３３ｂは、遮光部材としての遮光部４１を有する。遮光部４１は、媒体ガイド１３３ｂの給紙方向Ｄ下流側の下面部から媒体載置カバー１３１に向けて、鉛直方向下方（−Ｘ方向）に突出している。
【００９５】
次に、第三実施例について図２３を参照して説明する。図２３は、本発明に係る第三実施例のフローチャート図である。本実施例においては、画像形成装置１の図示しない電源がオンになると、図２３のフローが開始される。ステップＳ１において、ユーザが入力表示部２２２を用いて、開閉ユニット３００に載置する媒体幅の設定を行う。
【００９６】
ステップＳ２において、制御部３３０は、開閉センサ２３０によって開閉ユニット３００の閉状態（第４の状態）の検出と開閉ユニット３００の開状態（第１の状態）の検出の両方があったか否かを判断する。開閉ユニット３００の閉状態（第４の状態）の検出と開閉ユニット３００の開状態（第１の状態）の検出の両方があった場合、つまり、ユーザが本体装置２に対して開閉ユニット３００を閉じた後、開閉ユニット３００を開いた場合は、ステップＳ３へ移行し（ステップＳ２、Ｙｅｓ）、開閉ユニット３００の閉状態（第４の状態）の検出と開閉ユニット３００の開状態（第１の状態）の検出の両方又はどちらかが無かった場合は、処理を終了する（ステップＳ２、Ｎｏ）。
【００９７】
ステップＳ３において、制御部３３０は、ステップＳ１においてユーザによって設定された媒体幅の設定が、ステップＳ２の後に、ユーザによる入力表示部２２２への入力によって、変更されたか否かを判断する。用紙幅の設定の変更が無い場合は、ステップＳ４へと移行し（ステップＳ３、Ｙｅｓ）、用紙幅の設定の変更が行われた場合は、処理を終了する（ステップＳ３、Ｎｏ）。
【００９８】
ステップＳ４において、制御部３３０は、ステップＳ１で設定された用紙幅の設定値が所定値以下であるか否かを判断する。ここで、所定値は、退避位置にあるときの媒体ガイド１３３のガイド幅と同じに設定している。用紙幅が所定値以下である場合は、ステップＳ５へと移行し（ステップＳ４、Ｙｅｓ）、用紙幅が所定値よりも大きい場合は、処理を終了する（ステップＳ４、Ｎｏ）。
【００９９】
ステップＳ５において、制御部３３０は、透過センサ２００の発光部２０１からの光が遮光部４１によって所定時間遮光されたままか否かを判断する。所定時間遮光されたままである場合、つまり、媒体ガイド１３３ｂが退避位置に位置したままの場合は、ステップＳ６へと移行し（ステップＳ５、Ｙｅｓ）、所定時間内に発光部２０１からの光が受光部２０２で受光された場合は、処理を終了する（ステップＳ５、Ｎｏ）。
【０１００】
ステップＳ６において、制御部３３０は、入力表示部２２２に「媒体ガイドの位置を確認してください」等のアラームを表示する。
【０１０１】
本実施例によれば、媒体ガイド１３３ｂが退避位置に退避したタイミングで、ユーザの確認を促すことが出来る。
【０１０２】
また、本実施例では、ステップＳ５において、媒体ガイド１３３ｂの遮光部４１が透過センサ２００を遮光しているか否かについて、制御部３３０が判断を行うようにしたが、ステップＳ５を省略することで、遮光部４１、透過センサ２００が無くても一定の効果を得ることが出来る。
【０１０３】
本実施例の構成により、ユーザに、開閉ユニット３００が、開状態（第１の状態）から閉状態（第４の状態）へ遷移した後、再度開閉ユニット３００を開状態（第１の状態）にしたときに、媒体ガイド１３３ｂが退避位置に移動したことを知らせることができる。
（第四実施例）
第一、第二実施例では、開閉ユニット３００を構成する媒体ガイド３３に形成された突部３４とレバー部７０に形成された孔部７３又は突部１７０を当接させることで、媒体ガイド３３を給紙部６０から離間する発明を説明した。第四実施例では、孔部７３に代えて本体フレーム３５０に当接部１５１を形成して、媒体ガイド３３を給紙部６０から離間させることを特徴とした画像形成装置について説明する。
【０１０４】
本実施例の画像形成装置の構成について説明する。本実施例の構成について、本体装置２内部や開閉ユニット３００の構成については、上述の実施例と異なる点のみ説明する。
【０１０５】
図２４は、本発明に係る第四実施例の本体フレーム３５０を示す斜視図である。また、第一実施例で用いた本体フレーム１５０と本実施の発明に係る本体フレーム３５０の異なる点についてのみ説明する。
【０１０６】
図２４に示すように、本体フレーム３５０は、ガイド面１５０ａに形成される面部１５６ａに当接部１５１を有する。当接部１５１は、給紙方向Ｄと直交する方向（Ｚ方向）において、面部１５６ａから突出して形成され、媒体ガイド３３ａと当接する傾斜面１６１を有する。ここで、傾斜面１６１は、孔部７３の第１の当接部としての当接面７４に代わって当接部として作用する。
【０１０７】
傾斜面１６１は、ガイド面１５０ａに対して傾斜して設けられており、面部１５６ａから離れるにつれて、ガイド面１５０ａに近づく面である。傾斜面１６１は、開閉ユニット３００が、開状態（第１の状態）から閉状態（第４の状態）への遷移の過程で、後述するように、給紙方向Ｄにおける媒体ガイド３３ａの下流側端部２３４と当接する。
【０１０８】
なお、本実施例の発明は、例えば、第一、第二実施例で用いたレバー部７０を有していない、もしくはレバー部７０に孔部７３及び突部１７０が形成されていない画像形成装置にも適用可能である。
【０１０９】
次に、本発明の動作について、図２５、図２６を用いて説明する。図２５は、本発明に係る第四実施例における開閉ユニット３００と媒体ガイド３３ａ及び当接部１５１を示す側断面図である。
【０１１０】
ユーザは、媒体ガイド３３ａを最小幅位置へスライドさせた後、開閉ユニット３００を開状態（第１の状態）から閉状態（第４の状態）とするために、矢印Ｊ方向へ回動させる。媒体ガイド３３ａを有する媒体載置ユニット３０は、第一、第二実施例と同様に、軸部２５０を中心に回動する。
【０１１１】
図２６は、本発明に係る第四実施例の端部２３４と傾斜面１６１が当接した状態を示す側断面図である。さらにユーザによる開閉ユニット３００を閉状態（第４の状態）へ遷移させるための操作が行われると、図２５に示す状態から媒体ガイド３３ａの給紙方向Ｄにおける下流側に配置された端部２３４と傾斜面１６１が当接する。これによって、媒体ガイド３３ａは傾斜面１６１から給紙方向Ｄと直交する方向（Ｚ方向）に外力を受け、給紙部６０から離間する方向にスライド移動し、退避位置で停止する。同様に、媒体ガイド３３ｂは、媒体ガイド３３ａの給紙６０から離間する動きと連動して、給紙方向Ｄと直交する方向（Ｚ方向）にスライド移動し、退避位置で停止する。
【０１１２】
本実施例の構成により、本体装置２の本体フレーム３５０に、媒体ガイド３３ａと当接する当接面としての傾斜面１６１を設けることで、媒体ガイド３３ａを給紙部６０から離間させ、開閉ユニット３００を閉じる過程で給紙部６０と媒体ガイド３３ａの干渉を防ぐことができる。
【０１１３】
以上、第一〜第四実施例では、画像形成装置１を用いて説明したが、いわゆるコピー機やコピー機能、ファックス機能、スキャン機能、プリント機能を有する多機能周辺装置（ＭＦＰ：Ｍｕｌｔｉ  Ｆｕｎｃｔｉｏｎ  Ｐｅｒｉｐｈｅｒａｌ）を用いてもよい。また、第一〜第四実施例をどのように組み合わせてもよい。
【符号の説明】
【０１１４】
１    画像形成装置
２    本体装置
３    用紙搬送部
４、５    搬送ローラ
６、１０    フィードローラ
７    リタードローラ
８    用紙繰り出し部
９、６０ａ    ピックアップローラ
１１    分離片
１３    用紙トレイ
１４ａ、１４ｂ    記録用紙
１５    画像形成部
１７    転写部
１８    転写ベルト
１９    転写ローラ
２０    定着部
２１    搬送ローラ
２２    排出ローラ
２３    スタッカ
２４    感光ドラム
３０    媒体載置ユニット
３１、１３１    媒体載置カバー
３２    媒体載置板
３２ａ    媒体載置面
３３、１３３ｂ    媒体ガイド
３４、１５１、１７０、２５４    突部
３６、１６１    傾斜面
４１    遮光部
５０    保持フレーム
６０    給紙部
６０ｂ    ギヤ
６０ｃ    支持部材
７０、２７０    レバー部
７２    凹部
７２ａ、７２ｂ    壁部
７３    孔部
７４    当接面
７５    孔部上面部
７６    側面部
７７    逃げ部
７８    ガイド部
８０ａ、８０ｂ    ガイド面
１１０    押圧アーム部
１１１    交点
１５０、３５０    本体フレーム
１５２、１５３    軸受け部
２００    透過センサ
２３４    端部
２５０、２５１    軸部
２５１Ｇ    回動中心
３００    開閉ユニット
【図１】
2020070118.tif 000003
【図２】
2020070118.tif 000004
【図３】
2020070118.tif 000005
【図４】
2020070118.tif 000006
【図５】
2020070118.tif 000007
【図６】
2020070118.tif 000008
【図７】
2020070118.tif 000009
【図８】
2020070118.tif 000010
【図９】
2020070118.tif 000011
【図１０】
2020070118.tif 000012
【図１１】
2020070118.tif 000013
【図１２】
2020070118.tif 000014
【図１３】
2020070118.tif 000015
【図１４】
2020070118.tif 000016
【図１５】
2020070118.tif 000017
【図１６】
2020070118.tif 000018
【図１７】
2020070118.tif 000019
【図１８】
2020070118.tif 000020
【図１９】
2020070118.tif 000021
【図２０】
2020070118.tif 000022
【図２１】
2020070118.tif 000023
【図２２】
2020070118.tif 000024
【図２３】
2020070118.tif 000025
【図２４】
2020070118.tif 000026
【図２５】
2020070118.tif 000027
【図２６】
2020070118.tif 000028